(57)【特許請求の範囲】
【請求項１】
液晶表示パネルと、
前記液晶表示パネルの背面に位置する導光板と、
前記導光板の少なくとも一側に配置され、光源本体と前記光源本体の両端に位置する電極部を含む光源部と、
前記導光板と平行な第１面と前記第１面から折り曲げ延長された第２面とを有し、前記導光板と前記光源部を収容する収容空間を形成する蓋部材と、
前記光源部を囲むとともに前記光源部からの光を前記導光板に反射し、前記蓋部材に向かって突出して前記蓋部材と面接触することにより熱を放熱する接触面を備える拡張部を有し、前記光源部と対向する内部層はＰＥＴ（ポリエチレンテレフタレート）からなり、前記内部層の外部面に形成されている下部層はアルミニウムよりなる光源カバーと、
を含み、
前記拡張部は、前記光源カバーと一体に形成され、前記電極部に対応して形成されることを特徴とする液晶表示装置。
【請求項２】
前記光源カバーは、
前記第１面と対向する下部面と、
前記下部面から折り曲げ延長されており、前記第２面と対向する側面と、
前記側面から前記導光板方向に折り曲げ延長されている上面と、
を含むことを特徴とする、請求項１に記載の液晶表示装置。
【請求項３】
前記拡張部の接触面は前記光源カバーの下部面に形成されていることを特徴とする、請求項２に記載の液晶表示装置。
【請求項４】
前記拡張部の接触面は前記光源カバーの側面にさらに形成されていることを特徴とする、請求項３に記載の液晶表示装置。
【請求項５】
前記光源カバーの下部面は前記導光板と前記第１面の間に延長されている延長部を含み、
前記導光板が前記光源カバーの延長部を前記第１面方向に加圧することを特徴とする、請求項３に記載の液晶表示装置。
【請求項６】
前記光源部は一列に配置されている発光ダイオードを含み、
前記拡張部は前記光源カバーの中間領域に形成されていることを特徴とする、請求項３または請求項４に記載の液晶表示装置。
【請求項７】
前記光源カバーは前記拡張部から前記蓋部材に向かって折り曲げられていることを特徴とする、請求項１に記載の液晶表示装置。
【請求項８】
前記光源カバーは、前記光源部と対向する内部層と、前記内部層の外部面に形成されている外部層とによって構成されていることを特徴とする、請求項１に記載の液晶表示装置。
【請求項９】
前記蓋部材はアルミニウムまたは亜鉛めっき鋼板で構成されることを特徴とする、請求項１に記載の液晶表示装置。
【請求項１０】
前記導光板と前記第１面の間に位置する反射板をさらに含み、
前記拡張部は前記反射板と離間していることを特徴とする、請求項１に記載の液晶表示装置。
【請求項１１】
液晶表示パネルと、
前記液晶表示パネルの背面に位置する導光板と、
前記導光板の少なくとも一側に配置されている光源部と、
前記光源部を囲むとともに前記光源部からの光を前記導光板に反射し、前記光源部と対向する内部層はＰＥＴ（ポリエチレンテレフタレート）からなり、前記内部層の外部面に形成されている下部層はアルミニウムよりなる光源カバーと、
前記導光板と平行な第１面と前記第１面から折り曲げ延長された第２面を有し、前記導光板と前記光源部を収容する収容空間を形成し、前記光源カバーに向かって突出して前記光源カバーと接触する拡張部を有する蓋部材と
を含むことを特徴とする液晶表示装置。
【請求項１２】
前記光源カバーは、
前記第１面と対向する下部面と、
前記下部面から折り曲げ延長されており、前記第２面と対向する側面と、
前記側面から前記導光板方向に折り曲げ延長されている上面と、
を含むことを特徴とする、請求項１１に記載の液晶表示装置。
【請求項１３】
前記拡張部は前記光源カバーの第１面に形成されていることを特徴とする、請求項１２に記載の液晶表示装置。
【請求項１４】
前記拡張部は前記光源カバーの第２面にさらに形成されていることを特徴とする、請求項１３に記載の液晶表示装置。
【請求項１５】
前記光源部は光源本体と前記光源本体の両端に位置する電極部とを含み、
前記拡張部は前記電極部に対応して形成されることを特徴とする、請求項１３または請求項１４に記載の液晶表示装置。
【請求項１６】
前記蓋部材は前記拡張部から前記光源カバーに向かって折り曲げられていることを特徴とする、請求項１１に記載の液晶表示装置。
【請求項１７】
前記蓋部材はアルミニウムまたは亜鉛めっき鋼板で構成されることを特徴とする、請求項１１に記載の液晶表示装置。
【請求項１８】
前記導光板と前記第１面の間に位置する反射板をさらに含み、
前記拡張部は前記反射板と離間していることを特徴とする、請求項１１に記載の液晶表示装置。
【発明の詳細な説明】
【技術分野】
【０００１】
本発明は液晶表示装置に係わり、より詳しくは、光源カバーと蓋部材を接触させて、光源部の熱を効率的に放熱させる液晶表示装置に関する。
【背景技術】
【０００２】
最近、従来のＣＲＴの代わりに、液晶表示装置（ＬＣＤ）、ＰＤＰ（ｐｌａｓｍａ  ｄｉｓｐｌａｙ  ｐａｎｅｌ）、ＯＬＥＤ（ｏｒｇａｎｉｃ  ｌｉｇｈｔ  ｅｍｉｔｔｉｎｇ  ｄｉｏｄｅ）等の平板表示装置が多く開発されている。
このうちの液晶表示装置は、薄膜トランジスタ基板、カラーフィルター基板、そして両基板の間に液晶が注入されている液晶表示パネルを含む。液晶表示装置は非発光素子であるため、薄膜トランジスタ基板の後面に、光を供給するためのバックライトユニットを設ける必要がある。バックライトユニットから照射された光は、液晶の配列状態によって透過量が調整される。その他に、液晶表示パネルとバックライトユニットを受容するシャーシーをさらに含む。
【０００３】
バックライトユニットは光源の位置によってエッジ型と直下型に区分される。エッジ型は導光板の側面に光源が設けられる構造であって、主にラップトップ型およびデスクトップコンピュータのように比較的に大きさの小さい液晶表示装置に適用される。このようなエッジ型バックライトユニットは光の均一性が良く、耐久寿命が長く、液晶表示装置の薄形化に有利である。
【０００４】
エッジ型バックライトユニットを使用する液晶表示装置では、光源で多くの熱が発生する。このような熱が効率的に放熱されなければ、光源からの熱によって液晶が液晶相（ｌｉｑｕｉｄ  ｃｒｙｓｔａｌ  ｐｈａｓｅ）から液相（ｌｉｑｕｉｄ  ｐｈａｓｅ）に相変移して画面が表示されなくなるという問題が発生する。しかも、最近、高輝度のために光源に高電圧を印加することによって、液晶の相変移問題はさらに深刻になっている。
【発明の開示】
【発明が解決しようとする課題】
【０００５】
従って、本発明の目的は光源部の熱を効率的に放熱させる液晶表示装置を提供することにある。
【課題を解決するための手段】
【０００６】
本発明に係る液晶表示装置は、
液晶表示パネルと、
前記液晶表示パネルの背面に位置する導光板と、
前記導光板の少なくとも一側に配置され、光源本体と前記光源本体の両端に位置する電極部を含む光源部と、
前記導光板と平行な第１面と前記第１面から折り曲げ延長された第２面とを有し、前記導光板と前記光源部を収容する収容空間を形成する蓋部材と、
前記光源部を囲むとともに前記光源部からの光を前記導光板に反射し、前記蓋部材に向かって突出して前記蓋部材と面接触することにより熱を放熱する接触面を備える拡張部を有し、前記光源部と対向する内部層はＰＥＴ（ポリエチレンテレフタレート）からなり、前記内部層の外部面に形成されている下部層はアルミニウムよりなる光源カバーと、
を含み、
前記拡張部は、前記光源カバーと一体に形成され、前記電極部に対応して形成されることを特徴とする。
【０００７】
前記光源カバーは、前記第１面と対向する下部面と、前記下部面から折り曲げ延長されており、前記第２面と対向する側面と、前記側面から前記導光板方向に折り曲げ延長されている上面と、を含むと好ましい。
前記拡張部の接触面は前記光源カバーの下部面に形成されていることが好ましい。
【０００８】
前記拡張部の接触面は前記光源カバーの側面にさらに形成されていることが好ましい。
前記光源カバーの下部面は前記導光板と前記第１面の間に延長されている延長部を含み、前記導光板が前記光源カバーの延長部を前記第１面方向に加圧することが好ましい。
【０００９】
前記光源カバーは前記拡張部から前記蓋部材に向かって折り曲げられていることが好ましい。
前記光源カバーは、前記光源部と対向する内部層と、前記内部層の外部面に形成されている外部層とから構成されることが好ましい。
【００１０】
前記蓋部材はアルミニウムまたは亜鉛めっき鋼板からなることが好ましい。
前記導光板と前記第１面の間に位置する反射板をさらに含み、前記拡張部は前記反射板と離間していることが好ましい。
前記本発明の他の実施形態は、
液晶表示パネルと、
前記液晶表示パネルの背面に位置する導光板と、
前記導光板の少なくとも一側に配置されている光源部と、
前記光源部を囲むとともに前記光源部からの光を前記導光板に反射し、前記光源部と対向する内部層はＰＥＴ（ポリエチレンテレフタレート）からなり、前記内部層の外部面に形成されている下部層はアルミニウムよりなる光源カバーと、
前記導光板と平行な第１面と前記第１面から折り曲げ延長された第２面を有し、前記導光板と前記光源部を収容する収容空間を形成し、前記光源カバーに向かって突出して前記光源カバーと接触する拡張部を有する蓋部材と
を含むことを特徴とする液晶表示装置を提供する。
【００１１】
前記光源カバーは、前記光源部と対向する内部層と、前記内部層の外部面に形成されている外部層とによって構成されていることが好ましい。
【００１２】
前記内部層はＰＥＴ（ポリエチレンテレフタレート）で構成され、前記外部層はアルミニウムで構成されることが好ましい。
【００１３】
前記蓋部材はアルミニウムまたは亜鉛めっき鋼板で構成されることが好ましい。
前記導光板と前記第１面の間に位置する反射板をさらに含み、前記拡張部は前記反射板と離間していることが好ましい。
【発明の効果】
【００１４】
本発明によれば、光源部の熱を効率的に放熱させる液晶表示装置が提供される。
【発明を実施するための最良の形態】
【００１５】
以下、添付図面を参照して本発明をより詳しく説明する。
以下の実施形態で同一の構成要素を示す参照番号は同一の番号を使用した。同一の構成要素については第１実施形態で代表的に説明し、他の実施形態では省略する。
図１〜４を参照して本発明の第１実施形態による液晶表示装置を説明する。
図１は、本発明の第１実施形態による液晶表示装置の分解斜視図である。図２は本発明の第１実施形態による液晶表示装置の断面図で、図３は図２のＡ部分の拡大図で、そして図４は本発明の第１実施形態による液晶表示装置において光源カバーと光源部との関係を説明するための図面である。
【００１６】
液晶表示装置１は、液晶表示パネル２０、液晶表示パネル２０の背面に位置した複数の光学フィルム３０、液晶表示パネル２０の背面に位置した導光板４０、導光板４０の対向する両側面に沿って配置されている一対の光源部５０、光源部５０を囲んでいる光源カバー６０、導光板４０の下部に位置する反射板７０を含む。これらは上部蓋部材１０と下部蓋部材８０の間に収容されている。また、液晶表示パネル２０はモールド９０上に載置される。
【００１７】
液晶表示パネル２０は、薄膜トランジスタが形成されている薄膜トランジスタ基板２１と、薄膜トランジスタ基板２１と対面しているカラーフィルター基板２２とを含む。両基板２１、２２の間には液晶層（図示せず）が位置している。液晶表示パネル２０は液晶層の配列を調整して画面を形成するが、非発光素子であるため背面に位置した光源部５０から光の供給を受けなければならない。薄膜トランジスタ基板２１の一側には駆動信号印加のための駆動部２５が設けられている。駆動部２５はフレキシブルプリント回路基板（ＦＰＣＢ）２６、フレキシブルプリント回路基板２６に装着されている駆動チップ２７、フレキシブルプリント回路基板２６の他側に接続されている回路基板（ＰＣＢ）２８を含む。図示した駆動部２５はＣＯＦ（ｃｈｉｐ  ｏｎ  ｆｉｌｍ）方式のものを示しているが、ＴＣＰ（ｔａｐｅ  ｃａｒｒｉｅｒ  ｐａｃｋａｇｅ）、ＣＯＧ（ｃｈｉｐ  ｏｎ  ｇｌａｓｓ）など公知の他の方式のものも適用することができる。また、駆動部２５を薄膜トランジスタ基板２１に実装することも可能である。
【００１８】
液晶表示パネル２０の背面に位置する光学フィルム３０は拡散フィルム３１、プリズムフィルム３２および保護フィルム３３を含む。
拡散フィルム３１は、ベース板と、ベース板に形成された玉形状のコーティング層から構成されている。拡散フィルム３１は、光源部５０からの光を拡散させて液晶表示パネル２０に供給する役割を果たす。拡散フィルム３１は２枚または３枚を重ねて使用することができる。
【００１９】
プリズムフィルム３２は、上部面に三角柱形状のプリズムが一定の配列で形成されている。プリズムフィルム３２は、拡散フィルム３１から拡散された光を上部の液晶表示パネル２０の平面に対して垂直方向に集光する役割を果たす。プリズムフィルム３２は通常２枚が用いられ、各プリズムフィルム３２に形成されたマイクロプリズムは所定の角度をなしていることが好ましい。プリズムフィルム３２を通過した光は、ほとんど大部分が垂直に進行して均一の輝度分布を提供するようになる。
【００２０】
最上部に位置する保護フィルム３３はスクラッチに弱いプリズムフィルム３２を保護する。
導光板４０は通常アクリル系統の樹脂で製造され、光源部５０からの光を拡散フィルム３１に均一に供給する役割を果たす。導光板４０は長方形プレートタイプであって拡散フィルム３１と対向する出射面４０ａ、光源部５０と対向する一対の入射面４０ｂ、反射板７０と対向する反射面４０ｃを含む。
【００２１】
光源部５０は、対向する導光板の一対の入射面４０ｂに沿ってそれぞれ位置する。第１実施形態で、光源部５０は、ランプの光源本体５１と、光源本体５１の両端に位置する電極部５２とを含む。光源部５０は、冷陰極線蛍光ランプ（ＣＣＦＬ）または外部電極蛍光ランプ（ＥＥＦＬ）を用いることができる。
光源カバー６０は、導光板４０の入射面４０ｂと共に光源部５０を囲んでおり、光源部５０からの光を導光板４０方向に反射する。光源カバー６０は２層から構成されており、光源部５０に向かう内部面はＰＥＴ（ポリエチレンテレフタレート）層で構成され、外部面は熱伝導率に優れたアルミニウム層で構成することができる。
【００２２】
光源カバー６０は、下部蓋部材８０の第１面８０ａと対向する下部面６０ａ、下部面６０ａから折り曲げ延長され、下部蓋部材８０の第２面８０ｂと対向する側面６０ｂ、側面６０ｂから導光板４０方向に折り曲げ延長されている上面６０ｃを含む。下部面６０ａの一部は、下部蓋部材８０の第１面８０ａと導光板４０の間に延長されている延長部６０ｄを形成する。上面６０ｃは導光板４０の出射面４０ａの一部を覆っている。
【００２３】
ここで、光源カバー６０の下部面６０ａには、下部蓋部材８０の第１面８０ａに向かって突出し、第１面８０ａと接触している第１拡張部６１が形成されている。
また、光源カバー６０の側面６０ｂには、下部蓋部材８０の第２面８０ｂに向かって突出し、第２面８０ｂと接触している第２拡張部６２が形成されている。光源カバー６０は全ての部分で実質的に同一の厚さを有しており、第１拡張部６１と第２拡張部６２に対応する部分は、光源カバー６０の内部において陥没部が形成される。このような光源カバー６０は、内部ＰＥＴ層と外部アルミニウム層の２層構造で構成されており、均一の厚さを有する板材をプレス加工して形成することができる。
【００２４】
一方、第１拡張部６１と第２拡張部６２は、光源カバー６０の両端に形成されており、これは光源部５０の電極部５２に対応する位置である。第１拡張部６１と第２拡張部６２の役割については後述する。
反射板７０は導光板４０の下部に位置し、下部に向かう光を再び反射して導光板４０に供給する役割を果たす。反射板７０はポリエチレンテレフタレート（ＰＥＴ）またはＰＣ（ポリカボネート）で形成することができる。反射板７０は第１拡張部６１とは離間していて互いに重ならない。
【００２５】
下部蓋部材８０は、導光板４０の反射面４０ｃと対向する第１面８０ａ、第１面８０ａから折り曲げ延長されており、導光板４０の入射面４０ｂと対向する第２面８０ｂを含む。第１面８０ａと第２面８０ｂは導光板４０、光源部５０、光源カバー６０を収容する収容空間を形成する。下部蓋部材８０はアルミニウムまたは亜鉛めっき鋼板で形成することができる。
【００２６】
以下、第１実施形態で第１拡張部６１および第２拡張部６２の役割について説明する。
液晶表示装置１を駆動し光源部５０を作動させると、光源部５０で熱が発生する。特に、光源部５０の両電極部５２で多くの熱が発生し、これによって液晶表示パネル２０の角部領域で液晶層が相転移して画面を形成せず黒く表示されるという問題がある。
光源部５０で発生した熱は光源カバー６０、導光板４０、光学シート３０などに伝達され、このうちの約６０％の熱が光源カバー６０を通じて下部蓋部材８０に放出される。
【００２７】
したがって、光源カバー６０と下部蓋部材８０の接触状態を向上することによって、光源部５０からの熱を効率的に放熱することができる。特に、電極部５２に隣接した部分で光源カバー６０と下部蓋部材８０との接触状態を向上すれば、熱をさらに効率的に放熱することができる。
実施形態で、第１拡張部６１は下部蓋部材８０の第１面８０ａに、第２拡張部６２は下部蓋部材８０の第２面８０ｂと接触して、光源部５０の熱を下部蓋部材８０に効率的に伝達する。下部蓋部材８０は伝達された熱を広い面積を通して大気中に放熱するようになる。
【００２８】
第１拡張部６１と第２拡張部６２は、周囲より下部蓋部材８０方向に突出しているため、下部蓋部材８０との接触が容易である。また、導光板４０が第１拡張部６１に隣接した延長部６０ｄを下部蓋部材８０の第１面８０ａ方向に加圧しているため、第１拡張部６１は下部蓋部材８０にさらに緊密に接触するように構成できる。第２拡張部６２と下部蓋部材８０の第２面８０ｂとの接触状態は、組立公差を調節して確保することができる。反射板７０は、第１拡張部６１と第１面８０ａの間に位置しないため熱伝導に影響を与えない。拡張部６１の突出寸法ｄ１および拡張部６２の突出寸法ｄ２は０．０５ｍｍ〜２ｍｍ程度に設定することができる。
【００２９】
このような方法で光源部５０の熱を効率的に放熱することができる。特に電極部５２周囲の温度を集中的に放熱して、角部領域での液晶層の相変移を抑制することができる。
図５および図６はそれぞれ本発明の第２実施形態および第３実施形態による液晶表示装置を説明するための図面である。
図５に示した第２実施形態では拡張部６１、６２が光源カバー６０の両端だけでなく中間部分にも設けられている。また、両端に位置した拡張部６１、６２も複数のサブ拡張部６１ａ、６１ｂで構成される。中間部分に設けられた拡張部６１、６２を通じて光源カバー６０は下部蓋部材８０にさらに安定的に接触状態を維持することができる。
【００３０】
実施形態と異なり拡張部６１、６２の形態、個数、位置は発熱特性向上と製造過程の便宜のために多様に変形できる。
図６に示した第３実施形態では光源カバー６０の両端全体が拡張部６３を形成している。
図７ａおよび図７ｂは本発明の第４実施形態による液晶表示装置を説明するための図面である。
【００３１】
第４実施形態の光源部５５は回路基板５６と発光ダイオード５７を含む。回路基板５６は板状であって、背面は光源カバー６０の側面６０ｂに密着されている。発光ダイオード５７は回路基板５６上に規則的に装着されている。発光ダイオード５７は輝度と色再現率が良好でありことから多用されており、赤色、緑色、青色の光をミックスして白色光を供給する。
【００３２】
第４実施形態では拡張部６１、６２が光源カバー６０の中央部分に形成されている。これは発光ダイオード５７を用いる場合に光源カバー６０の両端よりは中央部分で多くの熱が発生するためである。
以上の第２実施形態〜第４実施形態で光源カバー６０の厚さは実質的に均一である。
図８は本発明の第５実施形態による液晶表示装置を説明するための図面である。
【００３３】
第５実施形態によれば、下部蓋部材８０に拡張部８１、８２が設けられている。拡張部８１、８２は、下部蓋部材８０の第１面８０ａから突出して光源カバー６０の側面６０ｂと接する第１拡張部８１と、下部蓋部材８０の第２面８０ｂから突出して光源カバー６０の下部面６０ｃと接する第２拡張部８２とを含む。
ここで下部蓋部材８０の厚さは実質的に均一である。
【００３４】
上述では本発明のいくつかの実施形態を図示して説明しているが、本発明の属する技術分野における通常の知識を有する当業者であれば、本発明の原則や精神から外れずに本実施形態を変形できることが分かる。本発明の範囲は添付された請求項とその均等物によって決められる。
【図面の簡単な説明】
【００３５】
【図１】本発明の第１実施形態による液晶表示装置の分解斜視図である。
【図２】本発明の第１実施形態による液晶表示装置の断面図である。
【図３】図２のＡ部分の拡大図である。
【図４】本発明の第１実施形態による液晶表示装置において光源カバーと光源部との関係を説明するための図面である。
【図５】本発明の第２実施形態による液晶表示装置を説明するための図面である。
【図６】本発明の第３実施形態による液晶表示装置を説明するための図面である。
【図７ａ】本発明の第４実施形態による液晶表示装置を説明するための図面である。
【図７ｂ】本発明の第４実施形態による液晶表示装置を説明するための図面である。
【図８】本発明の第５実施形態による液晶表示装置を説明するための図面である。
【符号の説明】
【００３６】
１０      上部蓋部材
２０      液晶表示パネル
３０      光学フィルム
４０      導光板
５０      光源部
６０      光源カバー
６１、６２      拡張部
７０      反射板
８０      下部蓋部材
９０      モールド
【図１】
0004675879.tif 000002
【図２】
0004675879.tif 000003
【図３】
0004675879.tif 000004
【図４】
0004675879.tif 000005
【図５】
0004675879.tif 000006
【図６】
0004675879.tif 000007
【図７ａ】
0004675879.tif 000008
【図７ｂ】
0004675879.tif 000009
【図８】
0004675879.tif 000010